(57)【要約】【課題】  光ピックアップにより光ディスクから読み出されたＲＦ信号のエラーレートが最小になるチルト角に光ピックアップのチルト角を調整することができるようにする。【解決手段】  トラッキングサーボ制御を動作させずに、フォーカスサーボ制御のみを動作させ、チルトコイルの駆動電圧を変化させてチルト角を変更して、光ピックアップにより検出されたトラッキング誤差信号の信号レベルが最大になるチルト角を検出し、フォーカスサーボ制御とトラッキングサーボ制御とを動作させて、チルトコイルの駆動電圧を変化させてチルト角を変更し、光ピックアップにより光ディスクに記録されている調整アドレスに記録された情報データを読み出して、読み出された情報データのＲＦ信号の信号レベルが最大になるチルト角を検出し、トラッキング誤差信号の信号レベルが最大になるチルト角とＲＦ信号の信号レベルが最大になるチルト角との中間のチルト角に光ピックアップのチルト角を調整するようにする。【選択図】        図３
2006114130.tif 000002
【特許請求の範囲】
【請求項１】
光ピックアップにより光ディスクに記録された情報データを再生するディスク装置であって、
前記光ピックアップのチルト角を調整するチルトコイルを駆動する駆動回路と、トラッキングサーボ制御を動作させずに、フォーカスサーボ制御のみを動作させて、前記駆動回路により前記チルトコイルの駆動電圧を変化させてチルト角を変更し、前記光ピックアップにより検出されたトラッキング誤差信号の信号レベルが最大になるチルト角を検出する第１の検出手段と、フォーカスサーボ制御とトラッキングサーボ制御とを動作させて、前記駆動回路により前記チルトコイルの駆動電圧を変化させてチルト角を変更し、前記光ピックアップにより前記光ディスクに記録されている調整アドレスに記録された情報データを読み出して、読み出された情報データのＲＦ信号の信号レベルが最大になるチルト角を検出する第２の検出手段と、前記第１の検出手段により検出されたチルト角と前記第２の検出手段により検出されたチルト角との中間のチルト角に前記光ピックアップのチルト角を調整するとともに、前記光ディスクに調整アドレスが記録されていない場合、前記第１の検出手段により検出されたチルト角に所定のオフセット値を加算したチルト角に前記光ピックアップのチルト角を調整する調整手段とを備えたことを特徴とするディスク装置。
【請求項２】
光ピックアップにより光ディスクに記録された情報データを再生するディスク装置であって、
前記光ピックアップのチルト角を調整するチルトコイルを駆動する駆動回路と、トラッキングサーボ制御を動作させずに、フォーカスサーボ制御のみを動作させて、前記駆動回路により前記チルトコイルの駆動電圧を変化させてチルト角を変更し、前記光ピックアップにより検出されたトラッキング誤差信号の信号レベルが最大になるチルト角を検出する第１の検出手段と、フォーカスサーボ制御とトラッキングサーボ制御とを動作させて、前記駆動回路により前記チルトコイルの駆動電圧を変化させてチルト角を変更し、前記光ピックアップにより前記光ディスクに記録されている調整アドレスに記録された情報データを読み出して、読み出された情報データのＲＦ信号の信号レベルが最大になるチルト角を検出する第２の検出手段と、前記第１の検出手段により検出されたチルト角と前記第２の検出手段により検出されたチルト角との中間のチルト角に前記光ピックアップのチルト角を調整する調整手段とを備えたことを特徴とするディスク装置。
【請求項３】
前記調整手段は、前記光ディスクに調整アドレスが記録されていない場合、前記第１の検出手段により検出されたチルト角に所定のオフセット値を加算したチルト角に前記光ピックアップのチルト角を調整する調整手段であることを特徴とする請求項２記載のディスク装置。
【請求項４】
光ピックアップにより光ディスクに記録された情報データを再生するディスク装置の調整方法であって、
トラッキングサーボ制御を動作させずに、フォーカスサーボ制御のみを動作させて、前記光ピックアップのチルトコイルの駆動電圧を変化させてチルト角を変更し、前記光ピックアップにより検出されたトラッキング誤差信号の信号レベルが最大になるチルト角を検出するステップと、フォーカスサーボ制御とトラッキングサーボ制御とを動作させて、前記光ピックアップのチルトコイルの駆動電圧を変化させてチルト角を変更し、前記光ピックアップにより前記光ディスクに記録されている調整アドレスに記録された情報データを読み出して、読み出された情報データのＲＦ信号の信号レベルが最大になるチルト角を検出するステップと、前記トラッキング誤差信号の信号レベルが最大になるチルト角と前記ＲＦ信号の信号レベルが最大になるチルト角との中間のチルト角に前記光ピックアップのチルト角を調整するステップとを備えたことを特徴とするディスク装置の調整方法。
【請求項５】
前記光ディスクに調整アドレスが記録されていない場合、前記トラッキング誤差信号の信号レベルが最大になるチルト角に所定のオフセット値を加算したチルト角に前記光ピックアップのチルト角を調整するステップを更に備えたことを特徴とする請求項４記載のディスク装置の調整方法。
【発明の詳細な説明】
【技術分野】
【０００１】
本発明は、光ディスクに記録された情報データを再生するディスク装置に係り、特に光ピックアップにより光ディスクの記録面にレーザ光を照射し、その反射光を検出して光ディスクに記録された情報データを光学的に読み出すディスク装置及びその調整方法に関する。
【背景技術】
【０００２】
従来、光ディスクに記録された情報データを再生する際、光ピックアップのトラッキングサーボ制御を動作させずに、フォーカスサーボ制御のみを動作させて、光ピックアップにより検出されたトラッキング誤差信号の信号レベルが最大になるように光ピックアップのチルト角を調整するようにしている。しかしながら、トラッキング誤差信号の信号レベルが最大になるように光ピックアップのチルト角を調整した場合、光ピックアップにより光ディスクから読み出されるＲＦ信号のエラーレートが最小にならず、ＲＦ信号のエラーレート特性のＲＦ信号のエラーレートが大きくなるエッジ付近に調整されることになり、光ディスクに記録された情報データの再生品質が低下するという問題点があった。また、光ディスクに情報データを記録する際に、光ピックアップのチルト角が最適に調整されていない場合、光ピックアップから出射されたレーザ光のスポットが真円形状に絞り込めず、レーザ光のスポットが楕円状になってレーザ光のパワーが不足し、情報データの記録品質が低下するという問題点があった。
背景技術としては、フォーカスサーボ制御のみを動作させてトラッキング誤差信号を検出し、検出されたトラッキング誤差信号からチルト情報を検出して、チルトゼロになるように調整した後、調整された値を基準値として光ピックアップのチルト角の調整を行うようにしたものがあった（例えば、特許文献１参照）。
また、トラッキングサーボ制御を動作させずに再生されたＲＦ信号の振幅に基づいて光ディスクの傾きのスキュー角の粗調整を行い、祖調整によってＲＦ信号の振幅が所要のレベルになった時点で、トラッキングサーボ制御を動作させて、ＲＦ信号の位相誤差に基づいて光ディスクの傾きのスキュー角の微調整を行うようにしたものがあった（例えば、特許文献２参照）。
【特許文献１】特開２００４−９５１８４号公報
【特許文献２】特開２０００−３１１３７０号公報
【発明の開示】
【発明が解決しようとする課題】
【０００３】
しかしながら、背景技術で述べたもののうち前者においては、フォーカスサーボ制御のみを動作させてトラッキング誤差信号を検出し、検出されたトラッキング誤差信号からチルト情報を検出して、チルトゼロになるように調整した後、調整された値を基準値として光ピックアップのチルト角の調整を行うことができたが、トラッキング誤差信号によりチルト角を調整するようにしたものであって、上記問題点を解決するようにしたものではなかった。
また、後者においては、トラッキングサーボ制御を動作させずに再生されたＲＦ信号の振幅に基づいて光ディスクの傾きのスキュー角の粗調整を行い、祖調整によってＲＦ信号の振幅が所要のレベルになった時点で、トラッキングサーボ制御を動作させて、ＲＦ信号の位相誤差に基づいて光ディスクの傾きのスキュー角の微調整を行うことができたが、再生されたＲＦ信号により光ディスクの傾きのスキュー角を調整するようにしたものであって、上記問題点を解決するようにしたものではなかった。
本発明は、背景技術の有するこのような問題点に鑑みてなされたものであり、その目的とするところは、光ピックアップにより光ディスクから読み出されたＲＦ信号のエラーレートが最小になるチルト角に光ピックアップのチルト角を調整することができるディスク装置及びその調整方法を提供しようとするものである。
【課題を解決するための手段】
【０００４】
上記目的を達成するため本発明においては、光ピックアップにより光ディスクに記録された情報データを再生するディスク装置であって、前記光ピックアップのチルト角を調整するチルトコイルを駆動する駆動回路と、トラッキングサーボ制御を動作させずに、フォーカスサーボ制御のみを動作させて、前記駆動回路により前記チルトコイルの駆動電圧を変化させてチルト角を変更し、前記光ピックアップにより検出されたトラッキング誤差信号の信号レベルが最大になるチルト角を検出する第１の検出手段と、フォーカスサーボ制御とトラッキングサーボ制御とを動作させて、前記駆動回路により前記チルトコイルの駆動電圧を変化させてチルト角を変更し、前記光ピックアップにより前記光ディスクに記録されている調整アドレスに記録された情報データを読み出して、読み出された情報データのＲＦ信号の信号レベルが最大になるチルト角を検出する第２の検出手段と、前記第１の検出手段により検出されたチルト角と前記第２の検出手段により検出されたチルト角との中間のチルト角に前記光ピックアップのチルト角を調整する調整手段とを備える。
前記調整手段は、前記光ディスクに調整アドレスが記録されていない場合、前記第１の検出手段により検出されたチルト角に所定のオフセット値を加算したチルト角に前記光ピックアップのチルト角を調整するようにするとよい。
これらの手段により、光ピックアップにより光ディスクから読み出されたＲＦ信号のエラーレートが最小になるチルト角に光ピックアップのチルト角を調整することができる。
【発明の効果】
【０００５】
請求項１記載の発明に係るディスク装置及びその調整方法によれば、トラッキングサーボ制御を動作させずに、フォーカスサーボ制御のみを動作させ、チルトコイルの駆動電圧を変化させてチルト角を変更して、光ピックアップにより検出されたトラッキング誤差信号の信号レベルが最大になるチルト角を検出し、フォーカスサーボ制御とトラッキングサーボ制御とを動作させて、チルトコイルの駆動電圧を変化させてチルト角を変更し、光ピックアップにより光ディスクに記録されている調整アドレスに記録された情報データを読み出して、読み出された情報データのＲＦ信号の信号レベルが最大になるチルト角を検出し、トラッキング誤差信号の信号レベルが最大になるチルト角とＲＦ信号の信号レベルが最大になるチルト角との中間のチルト角に光ピックアップのチルト角を調整するようにしているので、トラッキング誤差信号の信号レベルが最大になるチルト角とＲＦ信号の信号レベルが最大になるチルト角との中間のＲＦ信号のエラーレートが最小になるチルト角に光ピックアップのチルト角を調整することができる。また、光ディスクに調整アドレスが記録されていない場合、トラッキング誤差信号の信号レベルが最大になるチルト角に所定のオフセット値を加算したチルト角に光ピックアップのチルト角を調整するようにしているので、調整アドレスが光ディスク２に記録されていない場合であっても、トラッキング誤差信号の信号レベルが最大になる光ピックアップのチルト角よりＲＦ信号の信号レベルが最大になる側にチルト角を所定量オフセットすることによりＲＦ信号のエラーレートが最小になるチルト角付近のチルト角に光ピックアップのチルト角を調整することができる。
請求項２記載の発明に係るディスク装置及びその調整方法によれば、トラッキングサーボ制御を動作させずに、フォーカスサーボ制御のみを動作させ、チルトコイルの駆動電圧を変化させてチルト角を変更して、光ピックアップにより検出されたトラッキング誤差信号の信号レベルが最大になるチルト角を検出し、フォーカスサーボ制御とトラッキングサーボ制御とを動作させて、チルトコイルの駆動電圧を変化させてチルト角を変更し、光ピックアップにより光ディスクに記録されている調整アドレスに記録された情報データを読み出して、読み出された情報データのＲＦ信号の信号レベルが最大になるチルト角を検出し、トラッキング誤差信号の信号レベルが最大になるチルト角とＲＦ信号の信号レベルが最大になるチルト角との中間のチルト角に光ピックアップのチルト角を調整するようにしているので、トラッキング誤差信号の信号レベルが最大になるチルト角とＲＦ信号の信号レベルが最大になるチルト角との中間のＲＦ信号のエラーレートが最小になるチルト角に光ピックアップのチルト角を調整することができる。
請求項３記載の発明に係るディスク装置及びその調整方法によれば、光ディスクに調整アドレスが記録されていない場合、トラッキング誤差信号の信号レベルが最大になるチルト角に所定のオフセット値を加算したチルト角に光ピックアップのチルト角を調整するようにしているので、調整アドレスが光ディスク２に記録されていない場合であっても、トラッキング誤差信号が最大になる光ピックアップ３のチルト角よりＲＦ信号の信号レベルが最大になる側にチルト角を所定量オフセットすることによりＲＦ信号のエラーレートが最小になるチルト角付近のチルト角に光ピックアップのチルト角を調整することができる。
請求項４記載の発明に係るディスク装置の調整方法によれば、トラッキングサーボ制御を動作させずに、フォーカスサーボ制御のみを動作させて、チルトコイルの駆動電圧を変化させてチルト角を変更し、光ピックアップにより検出されたトラッキング誤差信号の信号レベルが最大になるチルト角を検出し、フォーカスサーボ制御とトラッキングサーボ制御とを動作させて、チルトコイルの駆動電圧を変化させてチルト角を変更し、光ピックアップにより光ディスクに記録されている調整アドレスに記録された情報データを読み出して、読み出された情報データのＲＦ信号の信号レベルが最大になるチルト角を検出して、トラッキング誤差信号の信号レベルが最大になるチルト角とＲＦ信号の信号レベルが最大になるチルト角との中間のチルト角に光ピックアップのチルト角を調整するようにしているので、トラッキング誤差信号の信号レベルが最大になるチルト角とＲＦ信号の信号レベルが最大になるチルト角の中間のＲＦ信号のエラーレートが最小になるチルト角に光ピックアップのチルト角を調整することができる。
請求項５記載の発明に係るディスク装置の調整方法によれば、光ディスクに調整アドレスが記録されていない場合、トラッキング誤差信号の信号レベルが最大になるチルト角に所定のオフセット値を加算したチルト角に光ピックアップのチルト角を調整するようにしているので、調整アドレスが光ディスク２に記録されていない場合であっても、トラッキング誤差信号が最大になる光ピックアップ３のチルト角よりＲＦ信号が最大になる側にチルト角を所定量オフセットすることによりＲＦ信号のエラーレートが最小になるチルト角付近のチルト角に光ピックアップのチルト角を調整することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の光ピックアップの４分割光検出器とＲＦ増幅回路とを示す概略回路図であり、図３は本発明の一実施例のディスク装置の光ピックアップのチルト角に対するＲＦ信号のエラーレートとトラッキング誤差信号の信号レベル、ＲＦ信号の信号レベルとの関係を示す説明図であり、図４は本発明の一実施例のディスク装置の動作を示すフローチャートである。
まず、図１の本発明の一実施例のディスク装置の構成を示すブロック図を基に説明する。
ディスク装置１は、光ディスク２にレーザ光を照射してその反射光を検出して光ディスク２に記録された情報データを読み出す光ピックアップ３と、光ディスク２を回転させるスピンドルモータ４と、スピンドルモータ４を駆動して光ディスク２の回転速度を所定の回転速度にサーボ制御するスピンドルサーボ回路５と、光ピックアップ３を光ディスク２の半径方向に移動させるスレッドモータ６と、スレッドモータ６の回転方向と回転速度とをサーボ制御するスレッドサーボ回路７と、デジタル信号により光ピックアップ３のチルトコイル（図示せず）を駆動して光ピックアップ３のチルト角を調整するチルトコイル駆動回路８と、光ピックアップ３により検出されたトラッキング誤差信号に基づいて光ピックアップ３のトラッキングをサーボ制御するトラッキングサーボ回路９と、光ピックアップ３により検出されたフォーカス誤差信号に基づいて光ピックアップ３のフォーカッシングをサーボ制御するフォーカスサーボ回路１０と、光ピックアップ３により読み出された情報データのＲＦ信号を増幅するＲＦ増幅回路１１と、ＲＦ増幅回路により増幅されたＲＦ信号を基準クロックに基づいて同期検出し、アナログ信号のＲＦ信号をデジタル信号に変換する同期検出／ＡＤ変換回路１２と、デジタル信号に変換されたＲＦ信号から情報データを復調し、復調された情報データの誤りを訂正する復調／誤り訂正回路１３と、所定の圧縮方式に基づいて圧縮された情報データを伸張し、元の情報データに復号するデコーダ１４と、復号された情報データを所定の信号方式に従ったコンポジット信号の映像音声信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像音声信号に符号化し、符号化された映像音声信号をアナログ信号の映像音声信号に変換するエンコーダ／ＤＡ変換回路１５と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路１６と、光ピックアップ３により検出されたアナログ信号のトラッキング誤差信号とＲＦ増幅回路１１により増幅されたアナログ信号のＲＦ信号とをデジタル信号に変換するＡＤ変換回路１７と、ディスク装置１のシステム全体を制御するマイコン１８と、リモコン装置２０から送信された赤外線信号のリモコン信号を受信して、所定の電気信号に変換するリモコン受信部１９とで構成されている。
また、光ピックアップ３は、図２に示すように、４分割光検出器３ａを備えていて、４分割光検出器３ａの各検出素子により検出された各検出信号Ａ、Ｂ、Ｃ、Ｄが出力され、ＲＦ信号は、ＲＦ増幅回路１１の加算増幅器１１ａ、１１ｂによりそれぞれ加算増幅された信号Ａ＋Ｃ、Ｂ＋Ｄが加算増幅器１１ｃにより加算増幅されてＡ＋Ｃ＋Ｂ＋Ｄの信号として検出され、トラッキング信号は、ＲＦ増幅回路１１の加算増幅器１１ａ、１１ｂによりそれぞれ加算増幅された信号Ａ＋Ｃ、Ｂ＋Ｄが加算増幅器１１ｄにより差動増幅されてＡ＋Ｃ−（Ｂ＋Ｄ）の信号として検出され、フォーカス信号は、ＲＦ増幅回路１１の加算増幅器１１ａ、１１ｂによりそれぞれ加算増幅された信号Ａ＋Ｃ、Ｂ＋Ｄが加算増幅器１１ｅにより差動増幅されてＡ＋Ｃ−（Ｂ＋Ｄ）の信号として検出される。
以上のように構成されたディスク装置について、以下その動作について説明する。
リモコン装置２０の操作キー（図示せず）の操作により、ディスク装置１にローディングされた光ディスク２の再生が指令されると、マイコン１８は、トラッキングサーボ制御を動作させずに、フォーカスサーボ回路１０に制御信号を送出して、フォーカスサーボ制御のみを動作させ、チルトコイル駆動回路８に所定のデジタル信号を順次送出して、光ピックアップ３のチルトコイル（図示せず）を駆動するの駆動電圧を変化させて光ピックアップ３のチルト角を変更し、光ピックアップ３により検出されたトラッキング誤差信号の信号レベルが最大になる光ピックアップ３のチルト角を検出する。
光ピックアップ３のチルトコイル（図示せず）を駆動する駆動電圧を変化させて光ピックアップ３のチルト角を変更し、トラッキング誤差信号の信号レベルが最大になるチルト角が検出されると（図３参照）、マイコン１８は、光ピックアップ３のチルト角を調整するための調整アドレスが光ディスク２に記録されているか否かを判別する。光ピックアップ３のチルト角を調整するための調整アドレスが光ディスク２に記録されている場合、マイコン１８は、トラッキングサーボ回路９とフォーカスサーボ回路１０とに制御信号を送出して、トラッキングサーボ制御とフォーカスサーボ制御とを動作させ、スレッドサーボ回路７に制御信号を送出して、光ピックアップ３を光ディスク２に記録されている調整アドレスに移動させ、チルトコイル駆動回路８に所定のデジタル信号を順次送出して、光ピックアップ３のチルトコイル（図示せず）を駆動するの駆動電圧を変化させて光ピックアップ３のチルト角を変更し、光ピックアップ３により光ディスク２から読み出された情報データのＲＦ信号の信号レベルが最大になる光ピックアップ３のチルト角を検出する。
そして、光ディスク２から再生されたＲＦ信号の信号レベルが最大になる光ピックアップ３のチルト角が検出されると（図３参照）、マイコン１８は、チルトコイル駆動回路８に制御信号を送出して、トラッキング誤差信号が最大になる光ピックアップ３のチルト角とＲＦ信号が最大になる光ピックアップ３のチルト角との中間のＲＦ信号のエラーレートが最小になるチルト角に光ピックアップ３のチルト角を調整する（図３参照）。これにより、トラッキング誤差信号の信号レベルが最大になるチルト角とＲＦ信号の信号レベルが最大になるチルト角の中間のＲＦ信号のエラーレートが最小になるチルト角に光ピックアップのチルト角を調整することができる。
また、光ピックアップ３のチルト角を調整するための調整アドレスが光ディスク２に記録されていない場合、マイコン１８は、トラッキング誤差信号の信号レベルが最大になる光ピックアップ３のチルト角が検出されたデジタル信号のデジタル値に所定のオフセット値、例えば、１６進数で８Ｈを加算し、オフセット値が加算されたデジタル信号をチルトコイル駆動回路８に送出して、ＲＦ信号のエラーレートが最小になるチルト角付近のチルト角に光ピックアップ３のチルト角を調整する。これにより、調整アドレスが光ディスク２に記録されていない場合であっても、トラッキング誤差信号が最大になる光ピックアップ３のチルト角よりＲＦ信号の信号レベルが最大になる側にチルト角を所定量オフセットすることによりＲＦ信号のエラーレートが最小になるチルト角付近のチルト角に光ピックアップのチルト角を調整することができる。
また、図４の本発明の一実施例のディスク装置の動作を示すフローチャートを基に説明する。
リモコン装置の操作キーの操作により、ディスク装置にローディングされた光ディスクの再生が指令されると、ステップＳ１からステップＳ２に進み、ステップＳ２で、トラッキングサーボ制御を動作させずに、フォーカスサーボ制御のみを動作させて、チルトコイルを駆動する駆動電圧を変化させて光ピックアップのチルト角が変更され、光ピックアップにより検出されたトラッキング誤差信号の信号レベルが検出されて、ステップＳ３に進む。
ステップＳ３で、トラッキング誤差信号の信号レベルが最大になったか否かが判断され、トラッキング誤差信号の信号レベルが最大になった場合、ステップＳ４に進み、トラッキング誤差信号の信号レベルが最大になっていない場合、ステップＳ２に戻って、ステップＳ２からのステップを繰り返す。
ステップＳ４で、光ピックアップのチルト角を調整するための調整アドレスが光ディスクに記録されているか否かが判断され、調整アドレスが光ディスクに記録されている場合、ステップＳ５に進み、調整アドレスが光ディスクに記録されていない場合、ステップＳ８に進む。
ステップＳ５で、トラッキングサーボ制御とフォーカスサーボ制御とを動作させて、光ピックアップのチルトコイルを駆動するの駆動電圧を変化させて光ピックアップのチルト角が変更され、光ピックアップにより光ディスクに記録されている調整アドレスに記録された情報データが読み出されて、光ディスクから読み出された情報データのＲＦ信号の信号レベルが検出されて、ステップＳ６に進む。
ステップＳ６で、光ピックアップにより光ディスクから読み出されたＲＦ信号の信号レベルが最大になったか否かが判断され、ＲＦ信号の信号レベルが最大になった場合、ステップＳ７に進み、ＲＦ信号の信号レベルが最大になっていない場合、ステップＳ５に戻って、ステップＳ５からのステップを繰り返す。
ステップＳ７で、トラッキング誤差信号の信号レベルが最大になる光ピックアップのチルト角とＲＦ信号の信号レベルが最大になる光ピックアップのチルト角との中間のＲＦ信号のエラーレートが最小になるチルト角に光ピックアップのチルト角が調整されて、ステップＳ９に進んで処理を終了する。
ステップＳ８で、検出されたトラッキング誤差信号の信号レベルが最大になる光ピックアップのチルトコイルを駆動した駆動電圧のデジタル信号のデジタル値に所定のオフセット値が加算され、ＲＦ信号のエラーレートが最小になる光ピックアップのチルト角付近のチルト角に光ピックアップのチルト角が調整されて、ステップＳ９に進んで処理を終了する。
以上、本発明を実施するための最良の形態について詳述したが、本発明はこれに限らず、当業者の通常の知識の範囲内でその変形や改良が可能である。例えば、光ディスクに記録された情報データを再生するディスク装置の光ピックアップのチルト角を調整することについて説明したが、光ディスクに情報データを記録再生するディスク装置の光ピックアップのチルト角を同様にして調整することも可能である。
【図面の簡単な説明】
【０００７】
【図１】本発明の一実施例のディスク装置の構成を示すブロック図である。
【図２】本発明の一実施例のディスク装置の光ピックアップの４分割光検出器とＲＦ増幅回路とを示す概略回路図である。
【図３】本発明の一実施例のディスク装置の光ピックアップのチルト角に対するＲＦ信号のエラーレートとトラッキング誤差信号の信号レベル、ＲＦ信号の信号レベルとの関係を示す説明図である。
【図４】本発明の一実施例のディスク装置の動作を示すフローチャートである。
【符号の説明】
【０００８】
１  ディスク装置
２  光ディスク
３  光ピックアップ
３ａ  ４分割光検出器
４  スピンドルモータ
５  スピンドルサーボ回路
６  スレッドモータ
７  スレッドサーボ回路
８  チルトコイル駆動回路
９  トラッキングサーボ回路
１０  フォーカスサーボ回路
１１  ＲＦ増幅回路
１１ａ、１１ｂ、１１ｃ  加算増幅器
１１ｄ、１１ｅ  差動増幅器
１２  同期検出／ＡＤ変換回路
１３  復調／誤り訂正回路
１４  デコーダ
１５  エンコーダ／ＤＡ変換回路
１６  ＯＳＤ回路
１７  ＡＤ変換回路
１８  マイコン
１９  リモコン受信部
２０  リモコン装置
３０  モニタ装置
【図１】
2006114130.tif 000003
【図２】
2006114130.tif 000004
【図３】
2006114130.tif 000005
【図４】
2006114130.tif 000006